(57)【要約】      （修正有）【課題】コンピュータシステムを利用して、壁紙用紙の在庫管理を行うと同時に、顧客の希望ないし提示する模様・彩色等のデザイン情報に基づいて、壁紙の受注から印刷までを簡便かつ低コストに実現することができる壁紙の受注・印刷・販売システムを提供する。【解決手段】壁紙用紙を原反１０Ｓとしてストックして原反の在庫等の管理を行う原反在庫管理手段１２と、指定されたデザイン情報を所要の印刷パターンに変換設定して壁紙用紙に印刷を行うインクジェットプリンタ２０を備え、前記デザイン情報を電子化データとして入力する壁紙受注手段２２と、指定された前記デザイン情報を壁紙用紙に印刷を行う印刷制御手段２４とを設けた壁紙印刷手段１４と、印刷された壁紙製品１０Ｐの販売等の管理を行う壁紙販売管理手段１６とからなり、得られた壁紙を直接販売するように壁紙の製造販売に関する経営管理を一貫して行うよう構成する。【選択図】図１
2005242511.tif 000002
【特許請求の範囲】
【請求項１】
各種の材質からなる壁紙用紙を原反としてストックすると共にストックされる原反の在庫等の管理を行う原反在庫管理手段と、
壁紙用紙に印刷する模様・彩色等のデザイン情報を指定すると共に、指定された前記デザイン情報を所要の印刷パターンに変換設定して壁紙用紙に印刷を行うインクジェットプリンタを備えると共に、壁紙用紙に印刷する模様・彩色等のデザイン情報を電子化データとして入力する壁紙受注手段と、前記壁紙受注手段により指定されたされた前記デザイン情報を壁紙製品に適した印刷パターンに変換して壁紙用紙に印刷を行う印刷制御手段とを設けた壁紙印刷手段と、
前記印刷された壁紙製品の販売等の管理を行う壁紙販売管理手段とから構成し、
前記壁紙印刷手段において、前記壁紙受注手段による壁紙の受注に基づき、ストックされている壁紙用紙を選択し、選択された壁紙用紙に対し前記印刷制御手段により設定されたデザイン情報に基づく印刷パターンを使用して、インクジェットプリンタにより印刷を行うと共に、印刷された壁紙を直接販売するように設定し、前記原反在庫管理手段および前記壁紙販売管理手段を介して壁紙の受注から印刷および販売までの経営管理を一貫して行うように構成したことを特徴とする壁紙の受注・印刷・販売システム。
【請求項２】
前記壁紙印刷手段は、壁紙の素材、模様、色彩等のデザイン情報を電子化データとして直接またはインターネット等の電気通信回線を介して入力する入力手段と、前記入力手段により入力されたデザイン情報の電子化データを記憶保持するデータベースとからなる壁紙受注手段と、前記データベースに記憶保持されているデザイン情報を検索して表示する検索・表示手段と、前記検索・表示手段を介して検索されたデザイン情報を所要の印刷パターンに変換して壁紙用紙に印刷を行う印刷パターン変換手段とからなる印刷制御手段とにより、構成してなることを特徴とする請求項１記載の壁紙の受注・印刷・販売システム。
【請求項３】
前記壁紙印刷手段において、前記印刷パターン変換手段は、電子化データとして入力された基本パターンからなるデザイン情報を、縦方向および／または横方向および／または斜め方向にシフトさせて、壁紙製品に適した連続模様に変換設定することを特徴とする請求項２記載の壁紙の受注・印刷・販売システム。
【請求項４】
前記壁紙印刷手段において、前記印刷パターン変換手段は、電子化データとして入力された基本パターンからなるデザイン情報を、拡大および／または縮小させて、壁紙製品に適した模様に変換設定することを特徴とする請求項２記載の壁紙の受注・印刷・販売システム。
【発明の詳細な説明】
【技術分野】
【０００１】
本発明は、壁紙、障子紙、襖紙等の内装材について、顧客の受注から製造および販売に至るまでを、一貫して合理的かつ円滑にビジネスを展開することができる経営管理システムに係り、顧客の要望するデザイン情報に基づいて壁紙の製品化を実現することができると共に、壁紙の受注から印刷および販売ないし施工に至るまでの期間を短縮し、特に壁紙の多品種少量の受注生産を低コストに実現し得る壁紙の受注・印刷・販売システムに関するものである。
【背景技術】
【０００２】
一般に、壁紙の製造に際し、種々の模様や色彩等の化粧が施された壁紙は、写真製版技術を使用するグラビア印刷方式によって、大量生産が行われている。このため、販売数量の観点から壁紙の種類も制約されることから、顧客は予め印刷された商品見本の中から適当な壁紙を選択して購買するという壁紙の販売システムが定着している。
【０００３】
例えば、現在の壁紙業界においては、大手の数社からなる問屋が市場のほぼ６割を占めており、これらの問屋が数十万部という見本帳を作成し、これらの見本帳に基づいて既製品からなる壁紙を顧客に販売するという形態をとっている。一方、壁紙の製造業者においては、全長８０〜１００ｍもある大型製造機により量産することから、問屋は販売量を高めるために凌ぎを削り、単価の低減のみを要求して製造業者を脅かしているのが現状である。このため、製造業者は、設備投資どころか人員整理や在庫の圧縮等による経営の合理化を迫られ、今日の大量生産、大量販売であって、消費者不在の製造・販売システムでは、行き詰まりが出てくることは必至である。
【０００４】
また、近年においては、建築基準法等が改正されて、不燃性壁紙の必要性が高まる一方、建物のリフォームも年々増加する傾向にあり、例えば塩化ビニル系壁紙の廃棄処分等のように、ダイオキシンの発生についての問題、あるいはシックハウスの問題等、多くの課題が提起されている。今日、欧米においては、消費者が個人で壁紙を貼り、簡便にリフォームを行っている現状を考慮すれば、日本においても、高温多湿からなる気候に適した壁紙の選択と、常に消費者個人の満足するデザインの壁紙を、受注から製造および販売に至るまで、たとえ少量生産であっても簡易迅速に対応することができる壁紙等の注文／製造／販売システムの構築が必要である。
【０００５】
今日においては、建築物の多様化と同様に、内装材としての壁紙のデザインについても顧客のニーズが多様化しており、このため常に顧客のニーズに適合した壁紙を短期間に低コストで提供できる、すなわち壁紙の多品種少量の製造および販売に関する新たな経営管理システムを構築することが要望されている。
【０００６】
このような観点から、例えば顧客から顧客所望の模様の壁紙の注文を受け付けて、その注文に応じた少量多品種の壁紙を容易に注文製造することができるように構成した壁紙製造装置および製造方法が提案されている（特許文献１参照）。すなわち、この特許文献１には、インクジェット方式のプリンタを使用することにより壁紙の製造を行うものであって、(1) 壁紙の模様データを保持する模様データ保持手段と、(2) 前記模様データを画像表示する画像表示手段と、(3) 顧客からの壁紙の注文を受ける受注手段と、(4) 前記受注手段による受注に応じて、前記模様データを前記模様データ保持手段により取り出す取り出し手段と、(5) 前記取り出し手段によって取り出した模様データを壁紙用紙に印刷する印刷手段とを具備する構成が開示されている。
【０００７】
また、壁紙の印刷手段として、シングルパス方式の静電記録装置からなるプリンタを使用する場合において、イメージスキャナ等で読み取った画像（基本パターン）を連続模様として印刷する印刷システムが提案されている（特許文献２参照）。すなわち、この特許文献２には、基本パターンを縦方向または横方向に少しずつシフトした模様を印刷する場合に、繋ぎ目の連続性を担保したまま基本パターンを単純にシフトさせて印刷できる印刷システムであって、(1) 矩形の第１の基本図形の画像データを生成する印刷データ作成手段と、(2) 前記第１の基本図形に基づいて、複数の前記第１の基本図形を第１の方向および第２の方向に隣接して継ぎ合わせ、且つ第１の方向に並ぶ各列の前記第１の基本図形を該列と隣接する列の前記第１の基本図形から前記第２の方向に０を含む所定のシフト距離だけずらして連続模様を出力するための出力データを作成する画像展開手段と、(3) 前記出力データを受け印刷を行う印刷手段とを備え、(4) 前記画像展開手段は、前記第１の基本図形を前記第１の方向に二等分し前記二等分された各領域を前記所定のシフト距離と前記第１の基本図形の前記第２の方向の長さとの比率により決められる分割比で前記第２の方向に２つの領域に分割し、該分割されたそれぞれ同じ大きさの領域を入れ替えて配置した第２の基本図形を生成し、前記第２の基本図形を元に前記出力データを作成するようにした構成が開示されている。
【０００８】
なお、１個の単位模様を使用し、これを長尺連続模様として長尺被印刷体に連続的に、平板印刷手段により印刷する方法として、連続模様を印刷すべき１個の単位模様を、網点濃度が連続して徐々に減少している網点を交互に用いて、重複させて印刷するように構成した長尺連続模様の印刷方法が提案されている（特許文献３参照）。
【０００９】
さらに、スキャナを操作させて複数の原稿の画像を結合させてエンドレスの印刷用フィルム原版を得る方法として、スキャナの走査方向に対して上流部側絵柄となる入力原稿Ａと、下流部側絵柄となる入力原稿Ｂとを、入力原稿として絵柄を接ぎ合わせるに際し、それぞれ継ぎ目線を入力指定して、スキャナにより読取って、走査線毎に入力原稿Ａ、Ｂの画像データを得ると共に、それぞれの入力原稿の各継ぎ目線の近傍の領域に対応する画像データの画素データについて、継ぎ目をぼかす演算処理をそれぞれ施すことにより、それぞれの画像データから入力原稿の修正データを得るように構成する方法が提案されている（特許文献４参照）。
【００１０】
一方、本願発明者は、先に、日本の風土に合った通気性を有し、貼付する壁面等に対しカビ等の発生を確実に防止することができると共に、顔料系インク等を使用したインクジェット印刷による装飾性並びに意匠的審美性に優れた壁紙等の内装材およびその製造方法の開発に成功し、特許出願を行った（特許文献５参照）。すなわち、この特許出願に係る壁紙等の内装材は、紙基材に対して、合成繊維を５％以上または無機質材料を５％以上添加して、水中伸度を１％未満に設定した構成からなる。また、前記構成からなる内装材は、前記紙基材の一側面に、印刷適性を有する化粧紙を単独またはセルロース系の異物と共に漉き合わせ法により形成するか、あるいは印刷適性を有する無機質材料をコーティング法により形成するか、あるいはまた印刷適性を有する無機質材料、化粧紙等を貼り合わせ法により形成し、その印刷適性を有する一側面にインクジェット印刷を施すように構成したものである。
【００１１】
また、本願発明者は、日本の風土に合った通気性を有し、貼付する壁面等に対しカビ等の発生を確実に防止し、しかも難燃性を十分に備えると共に、印刷適性に優れ装飾性並びに意匠的審美性に富んだ構成とするめことができる防火性壁紙用ベースペーパーまたは裏打紙及びその製造方法の開発に成功し、特許出願を行った（特許文献６参照）。すなわち、この特許出願に係る防火性壁紙用ベースペーパーまたは裏打紙は、パルプ、レーヨン等の紙基材を全重量当り３０重量％以下、無機質材料を７０重量％以上を含有する構成からなる。また、前記構成からなる防火性壁紙用ベースペーパーまたは裏打紙は、その上部に樹脂材料をコーティングするか、あるいは無機材料を塗布して、その表面に印刷等の化粧加工を施すように構成したものである。
【００１２】
さらに、本願発明者は、不織布と多孔質フィルムとを積層して形成した通気性積層シートを使用することにより、通気性に優れると共に、意匠的審美性に優れ、壁面等への貼付や剥離等の施工を容易化し、特に貼付壁面等における防カビ性に優れた通気性壁紙を、低コストに製造することができる通気性壁紙およびその製造方法の開発に成功し、特許出願を行った（未公開の特許文献７）。すなわち、この特許出願に係る通気性壁紙は、不織布と多孔質フィルムとを積層して形成した通気性積層シートを使用し、この通気性積層シートの一側面に貼付用接着剤を介して裏打紙を貼り合わせると共に、前記通気性積層シートの他側面に印刷適性を有する繊維材料等からなる化粧層を形成した構成からなる。また、前記通気性積層シートの一側面に貼り合わせる裏打紙は、紙基材に対して、合成繊維を５％以上または無機質材料を５％以上添加して、水中伸度を１％未満に設定したもの、あるいはパルプ、レーヨン等の紙基材を全重量当り３０重量％以下、無機質材料を７０重量％以上を含有する防火性壁紙用裏打紙を適用して構成したものである。
【００１３】
【特許文献１】特開２００１−２３２９１０号公報
【特許文献２】特許第３１１１６３９号公報
【特許文献３】特公平５−２５１２号公報
【特許文献４】特公平７−９７２１０号公報
【特許文献５】特開２００１−３０３４９１号公報
【特許文献６】特開２００３−５５８９９号公報
【特許文献７】未公開：特願２００２−２１６２０５号
【発明の開示】
【発明が解決しようとする課題】
【００１４】
前述した従来より提案されている特許文献１に記載の壁紙製造装置および製造方法においては、顧客からの壁紙の注文に対して、所要の模様データを作成するための工夫として、コンピュータシステムとインクジェット方式プリンタを使用し、少量多品種の壁紙の注文製造を実現しようとするものである。しかしながら、壁紙の原材料の供給から、顧客の注文、印刷および販売に至るまでの経営管理を合理的に行うためには、前記提案に係る壁紙製造装置および製造方法では、現状における壁紙業界の製造販売に関するシステム構成において、単に顧客のニーズに適合する壁紙の印刷が可能であるとしても、壁紙の印刷コストが低減されるとしても、壁紙製品としての販売価格を合理的に低減させることは、壁紙業界の製造販売に関するシステム構成を変革しない限り不可能である。
【００１５】
そこで、本発明者は、鋭意検討を重ねた結果、各種の材質からなる壁紙用紙を原反として供給する原反製造業者と、必要な壁紙用紙に顧客の希望するデザイン模様を直ちに印刷して販売することができる壁紙受注印刷販売（施工）業者との組み合わせにより、合理的なコスト低減と消費者ニーズに適合した壁紙の受注印刷製造販売を行うことができるシステムを構築することができることを突き止め、本発明の開発に成功した。
【００１６】
すなわち、(1) 各種の材質からなる壁紙用紙を原反としてストックすると共にストックされる原反の在庫等の管理を行う原反在庫管理手段と、(2) 壁紙用紙に印刷する模様・彩色等のデザイン情報を指定すると共に、指定された前記デザイン情報を所要の印刷パターンに変換設定して壁紙用紙に印刷を行うインクジェットプリンタを備えると共に、壁紙用紙に印刷する模様・彩色等のデザイン情報を電子化データとして入力する壁紙受注手段と、前記壁紙受注手段により指定された前記デザイン情報を壁紙製品に適した印刷パターンに変換して壁紙用紙に印刷を行う印刷制御手段とを設けた壁紙印刷手段と、(3) 前記印刷された壁紙製品の販売等の管理を行う壁紙販売管理手段とから構成し、(4) 前記壁紙印刷手段において、前記壁紙受注手段による壁紙の受注に基づき、ストックされている壁紙用紙を選択し、選択された壁紙用紙に対し前記印刷制御手段により設定されたデザイン情報に基づく印刷パターンを使用して、インクジェットプリンタにより印刷を行うと共に、印刷された壁紙を直接販売するように設定し、前記原反在庫管理手段および前記壁紙販売管理手段を介して壁紙の受注から印刷および販売までの経営管理を一貫して行うように構成することにより、合理的な壁紙の受注・印刷・販売システムを提供することができる。
【００１７】
従って、本発明の目的は、コンピュータシステムを利用して、壁紙用紙の在庫管理を行うと同時に、顧客の希望ないし提示する模様・彩色等のデザイン情報に基づいて、壁紙の受注から印刷までを簡便かつ低コストに実現することができると共に、短期間に製品化してその販売ないし施工を完了し、壁紙の販売管理についても適正に行うことができ、壁紙の受注から印刷および販売までの経営管理を一貫して合理的に達成できる壁紙の受注・印刷・販売システムを提供することにある。
【課題を解決するための手段】
【００１８】
本発明の請求項１に記載の壁紙の受注・印刷・販売システムは、各種の材質からなる壁紙用紙を原反としてストックすると共にストックされる原反の在庫等の管理を行う原反在庫管理手段と、
壁紙用紙に印刷する模様・彩色等のデザイン情報を指定すると共に、指定された前記デザイン情報を所要の印刷パターンに変換設定して壁紙用紙に印刷を行うインクジェットプリンタを備えると共に、壁紙用紙に印刷する模様・彩色等のデザイン情報を電子化データとして入力する壁紙受注手段と、前記壁紙受注手段により指定された前記デザイン情報を壁紙製品に適した印刷パターンに変換して壁紙用紙に印刷を行う印刷制御手段とを設けた壁紙印刷手段と、
前記印刷された壁紙製品の販売等の管理を行う壁紙販売管理手段とから構成し、
前記壁紙印刷手段において、前記壁紙受注手段による壁紙の受注に基づき、ストックされている壁紙用紙を選択し、選択された壁紙用紙に対し前記印刷制御手段により設定されたデザイン情報に基づく印刷パターンを使用して、インクジェットプリンタにより印刷を行うと共に、印刷された壁紙を直接販売するように設定し、前記原反在庫管理手段および前記壁紙販売管理手段を介して壁紙の受注から印刷および販売までの経営管理を一貫して行うように構成したことを特徴とする。
【００１９】
本発明の請求項２に記載の壁紙の受注・印刷・販売システムにおいて、前記壁紙印刷手段は、壁紙の素材、模様、色彩等のデザイン情報を電子化データとして直接またはインターネット等の電気通信回線を介して入力する入力手段と、前記入力手段により入力されたデザイン情報の電子化データを記憶保持するデータベースとからなる壁紙受注手段と、前記データベースに記憶保持されているデザイン情報を検索して表示する検索・表示手段と、前記検索・表示手段を介して検索されたデザイン情報を所要の印刷パターンに変換して壁紙用紙に印刷を行う印刷パターン変換手段とからなる印刷制御手段とにより、構成してなることを特徴とする請求項１記載の壁紙の受注・印刷・販売システム。
【００２０】
本発明の請求項３に記載の壁紙の受注・印刷・販売システムは、前記壁紙印刷手段において、前記印刷パターン変換手段は、電子化データとして入力された基本パターンからなるデザイン情報を、縦方向および／または横方向および／または斜め方向にシフトさせて、壁紙製品に適した連続模様に変換設定することを特徴とする。
【００２１】
本発明の請求項４に記載の壁紙の受注・印刷・販売システムは、前記壁紙印刷手段において、前記印刷パターン変換手段は、電子化データとして入力された基本パターンからなるデザイン情報を、拡大および／または縮小させて、壁紙製品に適した模様に変換設定することを特徴とする。
【発明の効果】
【００２２】
本発明の請求項１に記載の壁紙の受注・印刷・販売システムによれば、壁紙用紙としての原反の在庫管理を行うと同時に、顧客の希望ないし提示する模様・彩色等のデザイン情報に基づいて、壁紙の受注から印刷までを簡便かつ低コストに実現することができると共に、短期間に壁紙の製品化を行いその販売ないし施工を完了して、壁紙の販売管理を適正に行うことができ、壁紙の受注から印刷および販売までの経営管理を合理的にかつ一貫して行うことができる。
【００２３】
本発明の請求項２に記載の壁紙の受注・印刷・販売システムによれば、壁紙印刷手段において、壁紙の素材、模様、色彩等のデザイン情報を電子化データとして直接またはインターネット等の電気通信回線を介して入力し、入力されたデザイン情報の電子化データを記憶保持し、そして記憶保持されているデザイン情報の一部を検索して表示すると共に所要の印刷パターンに変換して、インクジェットプリンタによる壁紙用紙への印刷を容易かつ簡便に行うことができ、前述した壁紙の受注から印刷および販売までの経営管理を合理的にかつ一貫して行うことができる。
【００２４】
本発明の請求項３および４に記載の壁紙の受注・印刷・販売システムによれば、壁紙印刷手段において、インクジェットプリンタにより壁紙製品に適した印刷を行う際に、電子化データとして入力された基本パターンからなるデザイン情報を、適正な印刷パターンに変換して、品質の高い壁紙製品の印刷を容易に達成することができる。
【発明を実施するための最良の形態】
【００２５】
次に、本発明に係る壁紙の受注・印刷・販売システムの実施形態につき、添付図面を参照しながら、以下詳細に説明する。
【００２６】
図１は、本発明に係る壁紙の受注・印刷・販売システムの概略ブロック構成を示すものである。すなわち、図１において、本発明のシステム構成においては、各種の材質からなる壁紙用紙を原反として製造する原反製造業者Ａと、前記原反製造業者Ａによって製造された壁紙用紙としての原反をストックして、印刷および販売ないし施工を行う壁紙受注印刷販売（施工）業者Ｂと、顧客としての消費者Ｃとから構成される。
【００２７】
しかるに、前記壁紙受注印刷販売（施工）業者Ｂは、各種の材質からなる壁紙用紙を原反１０Ｓとしてストックすると共にストックされる原反１０Ｓの在庫等の管理を行う原反在庫管理手段１２と、壁紙用紙に印刷する模様・彩色等のデザイン情報を指定すると共に、指定された前記デザイン情報を所要の印刷パターンに変換設定して壁紙用紙に印刷を行うインクジェットプリンタ２０を備えると共に、壁紙用紙に印刷する模様・彩色等のデザイン情報を電子化データとして入力する壁紙受注手段２２と、前記壁紙受注手段２２により指定された前記デザイン情報を壁紙製品１０Ｐに適した印刷パターンに変換して壁紙用紙に印刷を行う印刷制御手段２４とを設けた壁紙印刷手段１４と、前記印刷された壁紙製品１０Ｐの販売等の管理を行う壁紙販売管理手段１６とから構成される。
【００２８】
そこで、前記壁紙印刷手段１４において、消費者Ｃとしての顧客からの壁紙の受注を、前記壁紙受注手段２２により顧客の希望するデザイン情報と共に直接またはインターネット４０等の電気通信回線により行う。この壁紙の受注に基づきストックされている壁紙用紙１０Ｓを選択し、選択された壁紙用紙１０Ｓに対し前記印刷制御手段２４により設定されたデザイン情報に基づく印刷パターンを使用して、インクジェットプリンタ２０により印刷を行う。そして、印刷された壁紙製品１０Ｐを直接販売するように設定し、原反在庫管理手段１２および壁紙販売管理手段１６を介して壁紙の受注から印刷および販売ないし施工までの経営管理を一貫して行うように構成される。
【００２９】
図２は、本発明に係る壁紙の受注・印刷・販売システムにつき、コンピュータを使用してＣＰＵ５０により演算処理を行う場合のシステム構成を示すものである。すなわち、本発明の実施の形態において、前記壁紙受注印刷販売（施工）業者Ｂに設けられる壁紙印刷手段１４の壁紙受注手段２２は、壁紙の素材、模様、色彩等のデザイン情報を電子化データとして直接またはインターネット４０等の電気通信回線を介して入力する入力手段３１と、前記入力手段３１により入力されたデザイン情報の電子化データを記憶保持するデータベース３２とから構成されている。
【００３０】
また、壁紙印刷手段１４の印刷制御手段２４は、前記データベース３２に記憶保持されているデザイン情報を検索して表示する検索・表示手段３３と、前記検索・表示手段３３を介して検索されたデザイン情報を所要の印刷パターンに変換して壁紙用紙に印刷を行う印刷パターン変換手段３４とから構成されている。そして、前記印刷制御手段２４によりインクジェットプリンタ２０を作動させて、壁紙用紙への印刷を行い、壁紙製品を完成させる。この場合における壁紙の印刷製造に関する情報は、それぞれ原反在庫管理手段１２および壁紙販売管理手段１６へ転送されて、それぞれ前記壁紙受注印刷販売（施工）業者Ｂにおける経営管理処理が行われる。
【００３１】
次に、前述した構成からなる本発明の実施の形態における壁紙の受注・印刷・販売システムの基本的な運用動作プログラムにつき、図３に示すフローチャートを参照しながら説明する。まず、壁紙受注印刷販売（施工）業者Ｂは、消費者（顧客）Ｃからの壁紙製品の注文に際して、壁紙印刷手段１４の壁紙受注手段２２によって受注する。この場合、壁紙受注手段２２においては、顧客の希望ないし提案する壁紙の素材、模様、色彩等のデザイン情報を電子化データとして直接またはインターネット４０等の電気通信回線を介して入力手段３１に入力することによって壁紙の受注が確認される（ＳＴＥＰ−１）。入力手段３１により受注されたデザイン情報の電子化データは、データベース３２に記憶保持される（ＳＴＥＰ−２）。
【００３２】
前記壁紙受注手段２２のデータベース３２に記憶保持されたデザイン情報は、印刷制御手段２４の検索・表示手段３３により検索・表示され（ＳＴＥＰ−３）、印刷パターン変換手段３４によりデザイン情報を所要の印刷パターンに変換する（ＳＴＥＰ−４）。この場合、前記印刷パターン変換手段３４においては、例えば電子化データとして入力された基本パターンからなるデザイン情報を、縦方向および／または横方向および／または斜め方向にシフトさせて、壁紙製品に適した連続模様に変換設定したり、あるいは、電子化データとして入力された基本パターンからなるデザイン情報を、拡大および／または縮小させて、壁紙製品に適した模様に変換設定する。
【００３３】
このようにして、前記印刷制御手段２４は、所要の印刷パターンに変換された印刷パターンデザイン情報に基づいて、インクジェットプリンタ２０を作動させ、予め選択された所定の壁紙用紙への印刷を行い（ＳＴＥＰ−５）、顧客の注文に応じて印刷製造された壁紙製品を完成する（ＳＴＥＰ−６）。この場合において、インクジェットプリンタ２０により壁紙用紙への印刷を行った際の壁紙用紙に関するデータは、原反在庫管理手段１２へ転送して（ＳＴＥＰ−７）、原反在庫管理のデータ処理が行われる。そして、印刷製造された壁紙製品は、顧客への販売ないし施工が行われる（ＳＴＥＰ−８）。この場合において、壁紙の製品化されて販売ないし施工されたデータは、壁紙販売管理手段１６へ転送して（ＳＴＥＰ−９）、壁紙販売管理のデータ処理が行われる。
【００３４】
このようにして、本発明の壁紙の受注・印刷・販売システムにおいては、コンピュータシステムを利用して、壁紙用紙としての原反の在庫管理を行うと同時に、顧客の希望ないし提示する模様・彩色等のデザイン情報に基づいて、壁紙の受注から印刷までを簡便かつ低コストに実現することができると共に、短期間に壁紙の製品化を行いその販売ないし施工を完了して、壁紙の販売管理を適正に行うことができ、壁紙の受注から印刷および販売までの経営管理を合理的にかつ一貫して行うことができる。
【００３５】
以上、本発明の好適な実施の形態についてそれぞれ説明したが、本発明は前記実施の形態に限定されることなく、本発明の精神を逸脱しない範囲内において多くの設計変更が可能である。
【図面の簡単な説明】
【００３６】
【図１】本発明に係る壁紙の受注・印刷・販売システムの概略ブロック構成を示す説明図である。
【図２】本発明に係る壁紙の受注・印刷・販売システムのＣＰＵにより演算処理を行うシステム構成を示す系統図である。
【図３】本発明に係る壁紙の受注・印刷・販売システムの基本的なシステム運用プログラムの一実施例を示すフローチャート図である。
【符号の説明】
【００３７】
１０Ｓ  原反（壁紙用紙）
１０Ｐ  壁紙製品
１２  原反在庫管理手段
１４  壁紙印刷手段
１６  壁紙販売管理手段
２０  インクジェットプリンタ
２２  壁紙受注手段
２４  壁紙印刷制御手段
３１  入力手段
３２  データベース
３３  検索・表示手段
３４  印刷パターン変換手段
４０  インターネット
５０  ＣＰＵ
Ａ  原反製造業者
Ｂ  壁紙受注印刷販売（施工）業者
Ｃ  消費者（顧客）
【図１】
2005242511.tif 000003
【図２】
2005242511.tif 000004
【図３】
2005242511.tif 000005